(57)【要約】【課題】ルアーを所望の沈み込み深さまで再現性よく沈み込ませることができ、ルアーの沈み込み時間の測定のために神経を集中する必要もないルアー釣り用タイマーを提供することである。【解決手段】ルアー釣り用タイマー１の本体１ａに、時間を表示する画面２と、ルアーが水没してからの時間を計測し、所望の時間を設定するためのＳＥＴボタン３ａと、設定した所望の時間のカウントダウンを開始するためのＳＴＡＲＴボタン３ｂと、カウントダウンされた時間が零になったときに音声のアラームを発生するマイク５を設けることにより、魚の遊泳層までのルアーの沈み込み時間を見つけたときに、見つけた沈み込み時間を所望の時間としてＳＥＴボタン３ａで設定し、ルアーが水没するときにＳＴＡＲＴボタン３ｂを押すことにより、ルアーが魚の遊泳層まで沈み込んだときをアラームで知らせるようにした。【選択図】図２
2011188760.tif 000002
【特許請求の範囲】
【請求項１】
ルアー釣りでのルアーが水没してからの時間を計測する機能と、前記ルアーが水没してからの所望の時間を設定する機能と、この設定した時間をカウントダウンする機能と、このカウントダウンされた時間が零となったときにアラームを発生する機能とを備え、前記時間を表示する画面を設けたルアー釣り用タイマー。
【請求項２】
前記所望の時間を記憶する手段を設け、この記憶した所望の時間を繰り返し設定できるようにした請求項１に記載のルアー釣り用タイマー。
【請求項３】
前記アラームを音声のアラームとした請求項１または２に記載のルアー釣り用タイマー。
【請求項４】
前記時間を表示する画面を照明するライトを設けた請求項１乃至３のいずれかに記載のルアー釣り用タイマー。
【請求項５】
前記ルアー釣り用タイマーが釣り竿の把手部の近傍に設けられたものである請求項１乃至４のいずれかに記載のルアー釣り用タイマー。
【発明の詳細な説明】
【技術分野】
【０００１】
本発明は、ルアーの沈み込み深さを知らせるルアー釣り用タイマーに関する。
【背景技術】
【０００２】
ルアー釣りでは、鈎針と錘を有するルアーを水中に投げ入れ、対象とする魚が遊泳する遊泳層にルアーが沈み込んだときに、釣り竿やリールで釣り糸を操作してルアーに動きを付与するようにしている。
【０００３】
従来、このようなルアー釣りで対象とする魚の遊泳層を見つける際には、ルアーの沈み込み深さを色々と変えて、ルアーに動きを付与し、魚がよく釣れる遊泳層を見つけるようにしている。魚の遊泳層を見つけたときは、そのときのルアーの沈み込み深さまで、繰り返しルアーを沈み込ませて動きを付与している。また、対象とする魚の遊泳層が水底に近いときは、ルアーを一旦水底まで沈めたのち、根掛りしないように水底から少し引き上げて、動きを付与するようにしている。
【０００４】
前記ルアーの沈み込み深さは、ルアーが水面から水没した後の沈降速度を経験や勘で推測し、ルアーが水没した時からの時間を体内時計や腕時計で測定して求めている。ルアーの沈降速度は、ルアーの形状や錘の重さによってかなり異なり、対象とする魚の種類や遊泳層の深さに応じて使い分けられている。また、対象とする魚の遊泳層が水底に近いときは、水底までの深さを、ルアーが水底に到達したときに釣り糸の沈み込みが止まることから検知している。
【０００５】
なお、ルアー釣りで魚の遊泳層を見つける手段としては、魚群探知センサとしての音波センサと、魚群を探知したことを表示する発光部をルアーに内蔵する手段も提案されている（例えば、特許文献１参照）。
【先行技術文献】
【特許文献】
【０００６】
【特許文献１】特開２０００−２２４９４０号公報
【発明の概要】
【発明が解決しようとする課題】
【０００７】
上述したように、従来のルアー釣りでは、ルアーの沈み込み深さを、ルアーの沈降速度を経験や勘で推測して、ルアーが水没してからの時間で求めているので、魚の遊泳層を見つけても、そのときのルアーの沈み込み深さに、バラツキのないように再現性よくルアーを繰り返し沈み込ませることができない問題がある。また、ルアーが水没してからの時間を体内時計や腕時計で測定しているので、このルアーの沈み込み時間の測定のために神経を集中する必要があり、周囲の環境等に対する注意力が散漫になる問題もある。
【０００８】
なお、特許文献１に記載された音波センサと発光部を内蔵したルアーは、ルアーが高価なものとなるとともに、水中に沈んだルアーの発光部を視認することが難しく、実用的ではない。
【０００９】
そこで、本発明の課題は、ルアーを所望の沈み込み深さまで再現性よく沈み込ませることができ、ルアーの沈み込み時間の測定のために神経を集中する必要もないルアー釣り用タイマーを提供することである。
【課題を解決するための手段】
【００１０】
上記の課題を解決するために、本発明に係るルアー釣り用タイマーは、ルアー釣りでのルアーが水没してからの時間を計測する機能と、前記ルアーが水没してからの所望の時間を設定する機能と、この設定した時間をカウントダウンする機能と、このカウントダウンされた時間が零となったときにアラームを発生する機能とを備え、前記時間を表示する画面を設けた構成を採用した。
【００１１】
すなわち、ルアーが水没してからの時間を計測する機能によって、ルアーが水没してから魚がよく釣れる遊泳層の沈み込み深さまでの到達所要時間を求め、ルアーが水没してからの所望の時間を設定する機能によって、求めた到達所要時間を設定し、設定した時間をカウントダウンする機能と、カウントダウンされた時間が零となったときにアラームを発生する機能とによって、つぎにルアーを投げ入れたときに、ルアーが所望の沈み込み深さに到達したことをアラームで知らせることによって、ルアーを所望の沈み込み深さまで再現性よく沈み込ませることができ、ルアーの沈み込み時間の測定のために神経を集中する必要もないようにした。また、魚の遊泳層が水底に近いときは、ルアーが水没してからの時間を計測する機能によって、ルアーが水没してから水底までの到達所要時間を求め、ルアーが水没してからの所望の時間を設定する機能によって、求めた到達所要時間よりも少し短い所望の時間を設定するとよい。
【００１２】
前記所望の時間を記憶する手段を設け、この記憶した所望の時間を繰り返し設定できるようにすることにより、ルアーを所望の沈み込み深さまで繰り返して沈み込ませることができる。
【００１３】
前記アラームは音声のアラームとするとよい。なお、アラームは光や振動等のアラームとすることもできる。
【００１４】
前記時間を表示する画面を照明するライトを設けことにより、周囲が暗い夜間等のルアー釣りにも好適に用いることができる。
【００１５】
前記ルアー釣り用タイマーを釣り竿の把手部の近傍に設けられたものとすることにより、別途に保持することを不要とすることができる。
【発明の効果】
【００１６】
本発明に係るルアー釣り用タイマーは、ルアーが水没してからの時間を計測する機能と、ルアーが水没してからの所望の時間を設定する機能と、この設定した時間をカウントダウンする機能と、このカウントダウンされた時間が零となったときにアラームを発生する機能とを備え、時間を表示する画面を設けたので、ルアーを所望の沈み込み深さまで再現性よく沈み込ませることができ、ルアーの沈み込み時間の測定のために神経を集中する必要もない。
【図面の簡単な説明】
【００１７】
【図１】（ａ）は本発明に係るルアー釣り用タイマーを取り付けた釣り竿を示す側面図、（ｂ）は（ａ）の一部省略正面図
【図２】図１のルアー釣り用タイマーを拡大して示す正面図
【図３】（ａ）は図２のルアー釣り用タイマーに所望の時間を設定した状態を示す正面図、（ｂ）は（ａ）で設定した時間がカウントダウンされて零になった状態を示す正面図
【図４】ルアーの例を示す側面図
【図５】（ａ）、（ｂ）は、図２のルアー釣り用タイマーの使用方法を説明するためのルアー釣りの概念図
【発明を実施するための形態】
【００１８】
以下、図面に基づき、本発明の実施形態を説明する。図１（ａ）、（ｂ）は、本発明に係るルアー釣り用タイマー１を取り付けた釣り竿１１を示す。この釣り竿１１は、両手に間隔を開けてしっかりと把持できるように、２つの把手部１２ａ、１２ｂが軸方向に間隔を開けて設けられ、これらの把手部１２ａ、１２ｂの間の軸部１３に、ルアー釣り用タイマー１が取り付けられている。先側の把手部１２ａの直前にはリール１４が取り付けられている。ルアー釣り用タイマー１は、本体１ａと挟持板１ｂとからなり、本体１ａと挟持板１ｂで軸部１３を挟持するように、４本のボルト１ｃで締め付けることにより取り付けられている。
【００１９】
図２に示すように、前記ルアー釣り用タイマー１の本体１ａには、時間を表示する画面２と、ＳＥＴボタン３ａ、ＳＴＡＲＴボタン３ｂ、＋ボタン３ｃ、−ボタン３ｄの４つのボタンスイッチと、画面２を照明するランプ４と、アラームとしての電子音を発生するマイク５が設けられている。また、本体１ａには、図示は省略するが、画面２に設定された時間を記憶するメモリと制御回路を有する電子基盤も内蔵されている。
【００２０】
図２に示したように、前記画面２に表示された時間が零の初期状態でＳＥＴボタン３ａを押すと、時間の計測が開始されて画面２の時間が１秒ずつ増加し、もう一度ＳＥＴボタン３ａを押すと、時間の増加が停止して、図３（ａ）に示すように、そのときの時間が所望の時間として設定される。このとき、＋ボタン３ｃを押すと、設定した時間が１秒ずつ増やされ、−ボタン３ｄを押すと、設定された時間が１秒ずつ減らされる。
【００２１】
図３（ａ）に示したように、所望の時間が設定された状態でＳＴＡＲＴボタン３ｂを押すと、画面２に表示された時間が１秒ずつカウントダウンされ、図３（ｂ）に示すように、カウントダウンされた時間が零になると、マイク５から電子音６のアラームが発生される。
【００２２】
以下に、上述したルアー釣り用タイマー１のルアー釣りでの使用方法を説明する。まず、図４の例に示すような、釣り糸１５に取り付けられた鈎針１６ａと錘１６ｂを有するルアー１６を水中に投げ入れ、ルアー１６が水没するときに、前記ＳＥＴボタン３ａを押して、ルアー１６の沈み込み時間を計測し、適宜の計測時間でルアー１６に動きを付与する。この作業を、沈み込み時間を変えて繰り返し、魚がよく釣れる遊泳層までのルアー１６の沈み込み時間を見つける。
【００２３】
このように魚の遊泳層までのルアー１６の沈み込み時間を見つけたら、初期状態でＳＥＴボタン３ａを押し、計測時間がこの沈み込む時間になったときに、もう一度ＳＥＴボタン３ａを押して、図３（ａ）に示したように、所望の時間を設定する。このとき、＋ボタン３ｃまたは−ボタン３ｄを押して、所望の時間を調整してもよい。この例では、所望の時間が２５秒に設定されて画面２に表示されるとともに、電子基盤のメモリに記憶されている。
【００２４】
このように所望の時間を設定したのち、本来のルアー釣りを開始し、図５（ａ）に示すように、ルアー１６が水没するときに、ＳＴＡＲＴボタン３ｂを押す。すると、画面２に設定された時間がカウントダウンされ、図５（ｂ）に示すように、ルアー１６が予め見つけた魚の遊泳層の沈み込み深さに到達したときに、図３（ｂ）に示したように、カウントダウンされた時間が零になり、マイク５から電子音６のアラームが発生される。このとき、釣り人は釣り竿１１やリール１４で釣り糸１５を操作して、ルアー１６に動きを付与し、１回目のルアー釣りを行う。
【００２５】
前記カウントダウンされた時間が零になって、電子音６のアラームを発生されると、画面２に表示された時間は、電子基盤の制御回路によってメモリに記憶されている所望の時間に自動的に設定される。２回目のルアー釣りを行うときは、ルアー１６が水没するときに、この画面２の状態でＳＴＡＲＴボタン３ｂを押すことにより、自動的に設定された時間がカウントダウンされ、１回目と同様に、ルアー１６が魚の遊泳層の沈み込み深さに到達したときに、マイク５から電子音６のアラームが発生される。
【００２６】
したがって、このような操作を繰り返すことにより、ルアー１６を魚の遊泳層の沈み込み深さまで再現性よく繰り返し沈み込ませて、ルアー釣りを行うことができる。また、ルアー１６に動きを付与する合図として電子音６のアラームが発生されるので、ルアー１６の沈み込み時間の測定のために神経を集中する必要もない。
【００２７】
なお、図示は省略するが、魚の遊泳層が水底に近いときは、ルアーが水没してから水底に到達するまでの所要時間を上述したＳＥＴボタン３ａの操作で予め求め、この所要時間よりも少し短めの時間を所望の時間として設定し、同様に、ルアーが水没するときに、ＳＴＡＲＴボタン３ｂを押すことを繰り返すことにより、ルアーを水底近くの遊泳層まで再現性よく繰り返し沈み込ませて、アラームを発生させることができる。
【００２８】
上述した実施形態では、ルアー釣り用タイマーを釣り竿に取り付けたが、ルアー釣り用タイマーを釣り竿等の釣り具に取り付けずに、例えば、ストップウォッチのように、紐等で首やベルト等に吊り下げるようにしてもよい。
【００２９】
また、上述した実施形態では、アラームを電子音としたが、アラームは他の音声とすることもでき、光や振動等としてもよい。
【符号の説明】
【００３０】
１  ルアー釣り用タイマー
１ａ  本体
１ｂ  挟持板
１ｃ  ボルト
２  画面
３ａ、３ｂ、３ｃ、３ｄ  ボタン
４  ランプ
５  マイク
６  電子音
１１  釣り竿
１２ａ、１２ｂ  把手部
１３  軸部
１４  リール
１５  釣り糸
１６  ルアー
１６ａ  鈎針
１６ｂ  錘
【図１】
2011188760.tif 000003
【図２】
2011188760.tif 000004
【図３】
2011188760.tif 000005
【図４】
2011188760.tif 000006
【図５】
2011188760.tif 000007